(57)【要約】【課題】コンテンツの不正コピーが繰り返された場合でも、不正コピーを実施した第三者を特定することができるコンテンツ管理装置を得ることを目的とする。【解決手段】通信部１２によりダウンロードされた画像、または、外部メモリ制御部１７により外部メモリ２から読み出された画像に対して電子透かし情報を埋め込む電子透かし埋込部１６を設け、その電子透かし埋込部１６により電子透かし情報が埋め込まれた画像を外部に出力するように構成した。これにより、画像の不正コピーが繰り返された場合でも、不正コピーを実施した第三者を特定することができる。【選択図】        図２
2004194233.tif 000002
【特許請求の範囲】
【請求項１】
外部からコンテンツを収集するコンテンツ収集手段と、上記コンテンツ収集手段により収集されたコンテンツに対して電子透かし情報を埋め込む情報埋込手段と、上記情報埋込手段により電子透かし情報が埋め込まれたコンテンツを外部に出力するコンテンツ出力手段とを備えたコンテンツ管理装置。
【請求項２】
情報埋込手段は、コンテンツ収集手段により収集されたコンテンツから所定の周波数成分を抽出し、その周波数成分に対して電子透かし情報を埋め込むことを特徴とする請求項１記載のコンテンツ管理装置。
【請求項３】
情報埋込手段は、コンテンツ収集手段により収集されたコンテンツ内のエッジ成分を特定し、そのエッジ成分に対して電子透かし情報を埋め込むことを特徴とする請求項１記載のコンテンツ管理装置。
【請求項４】
情報埋込手段は、コンテンツ収集手段により収集されたコンテンツ内のオブジェクトを特定し、そのオブジェクトに対して電子透かし情報を埋め込むことを特徴とする請求項１記載のコンテンツ管理装置。
【請求項５】
外部からコンテンツを収集するコンテンツ収集手段と、上記コンテンツ収集手段により収集されたコンテンツに埋め込まれている電子透かし情報を抽出する抽出手段と、予め所定の情報を登録する登録手段と、上記抽出手段により抽出された電子透かし情報と上記登録手段に登録されている所定の情報を照合する照合手段と、上記照合手段により情報の一致が認められる場合に限り、上記コンテンツ収集手段により収集されたコンテンツの表示又は外部出力を行う制御手段とを備えたコンテンツ管理装置。
【請求項６】
コンテンツに埋め込まれている電子透かし情報が電話番号であることを特徴とする請求項１から請求項５のうちのいずれか１項記載のコンテンツ管理装置。
【請求項７】
外部から可視透かしが付加されたコンテンツを収集するコンテンツ収集手段と、上記コンテンツ収集手段により収集されたコンテンツに埋め込まれている電子透かし情報を抽出する抽出手段と、上記抽出手段により抽出された電子透かし情報を用いて、上記コンテンツ収集手段により収集されたコンテンツに付加されている可視透かしの状態を変更し、そのコンテンツの表示又は外部出力を行う制御手段とを備えたコンテンツ管理装置。
【請求項８】
コンテンツに制御情報が埋め込まれている場合、抽出手段が当該コンテンツに埋め込まれている制御情報を抽出し、その制御情報がコンテンツの表示又は外部出力を許可している場合に限り、制御手段が当該コンテンツの表示又は外部出力を行うことを特徴とする請求項５または請求項７記載のコンテンツ管理装置。
【請求項９】
配信対象のコンテンツに対して可視透かしを付加する付加手段と、上記付加手段により可視透かしが付加されたコンテンツに対して、その可視透かしの状態を変更する際に用いる電子透かし情報を埋め込む情報埋込手段と、上記情報埋込手段により電子透かし情報が埋め込まれたコンテンツを配信するコンテンツ配信手段とを備えたコンテンツ配信装置。
【発明の詳細な説明】
【０００１】
【発明の属する技術分野】
この発明は、コンテンツの著作権等を保護するコンテンツ管理装置及びコンテンツ配信装置に関するものである。
【０００２】
【従来の技術】
従来のコンテンツ配信装置は、画像等のコンテンツを配信する際、そのコンテンツに利用者ＩＤを電子透かし情報として埋め込むようにする。
これにより、そのコンテンツが不正にコピーされて利用された場合、そのコンテンツから利用者ＩＤを読み取ることにより、そのコンテンツの取得者を特定することができる（以下の特許文献１を参照）。
【０００３】
【特許文献１】
特開２００２−２５９３４６公報（段落番号［００２３］から［００２６］、図１）
【０００４】
【発明が解決しようとする課題】
従来のコンテンツ配信装置は以上のように構成されているので、コンテンツが不正にコピーされて利用された場合、そのコンテンツの正当な取得者を特定することができる。しかし、その取得者がコンテンツを不当にコピーして第三者に提供し、更に、その第三者がコンテンツを不当にコピーして別の第三者に提供するなど、そのコンテンツの不正コピーが繰り返された場合、不正コピーを実施した第三者を特定することができず、コンテンツの著作権等を十分に保護することができないなどの課題があった。
【０００５】
この発明は上記のような課題を解決するためになされたもので、コンテンツの不正コピーが繰り返された場合でも、不正コピーを実施した第三者を特定することができるコンテンツ管理装置を得ることを目的とする。
【０００６】
【課題を解決するための手段】
この発明に係るコンテンツ管理装置は、コンテンツ収集手段により収集されたコンテンツに対して電子透かし情報を埋め込む情報埋込手段を設け、その情報埋込手段により電子透かし情報が埋め込まれたコンテンツを外部に出力するようにしたものである。
【０００７】
【発明の実施の形態】
以下、この発明の実施の一形態を説明する。
実施の形態１．
図１はこの発明の実施の形態１によるコンテンツ管理装置が搭載されている携帯電話機を示す外形図であり、図において、携帯電話機１は着脱可能な外部メモリ２を装着する外部メモリ用スロット３を有している。
図２はこの発明の実施の形態１によるコンテンツ管理装置を示す構成図であり、図において、入力部１１は画像（コンテンツ）のダウンロード要求や画像の表示要求等を入力する機能を有する。通信部１２は入力部１１が画像のダウンロード要求を入力すると、図示せぬコンテンツ配信装置と通信を確立し、そのコンテンツ配信装置から画像をダウンロードする機能を有する。なお、通信部１２はコンテンツ収集手段を構成している。
【０００８】
制御部１３はコンテンツ管理装置の各処理部を制御し、例えば、通信部１２が画像をダウンロードすると、その画像を内部メモリ１４に格納し、入力部１１が画像の表示要求を入力すると、その画像を表示部１５に出力する。
電子透かし埋込部１６は入力部１１が画像の外部出力要求を入力すると、内部メモリ１４に格納されている画像に対して電子透かし情報を埋め込む機能を有している。電子透かし埋込部１６は情報埋込手段を構成している。
外部メモリ制御部１７は電子透かし埋込部１６により電子透かし情報が埋め込まれた画像を外部メモリ２に格納する一方、外部メモリ２に格納されている画像を読み出して内部メモリ１４に格納する機能を有している。外部メモリ制御部１７はコンテンツ出力手段及びコンテンツ収集手段を構成している。
図３はこの発明の実施の形態１によるコンテンツ管理装置の処理内容を示すフローチャートである。
【０００９】
次に動作について説明する。
まず、ユーザが画像のダウンロードを希望する場合、入力部１１を操作して画像のダウンロード要求を入力する。
通信部１２は、入力部１１が画像のダウンロード要求を入力すると、制御部１３の指示の下、図示せぬコンテンツ配信装置と通信を確立し、そのコンテンツ配信装置から画像をダウンロードする（ステップＳＴ１）。ただし、画像は静止画でも動画でもよい。また、通信の接続形態は特に問わず、インターネット経由の接続でもよいし、公衆電話網経由の接続でもよい。
制御部１３は、通信部１２が画像をダウンロードすると、その画像を内部メモリ１４に格納する。
【００１０】
ユーザがダウンロードした画像の表示を希望する場合、入力部１１を操作して画像の表示要求を入力する。
制御部１３は、入力部１１が画像の表示要求を入力すると、内部メモリ１４に格納されている画像を読み出して表示部１５に出力する。
これにより、表示部１５にはダウンロードした画像が表示される。
【００１１】
ユーザがダウンロードした画像の外部出力を希望する場合、入力部１１を操作して画像の外部出力要求を入力する（ステップＳＴ２）。
電子透かし埋込部１６は、入力部１１が画像の外部出力要求を入力すると、制御部１３の指示の下、内部メモリ１４に格納されている画像に対して電子透かし情報を埋め込む処理を実施する（ステップＳＴ３）。
電子透かし情報としては、例えば、携帯電話機１の電話番号や製造番号、電話会社により設定された加入者ＩＤなどが考えられるが、画像の受信者を特定することができる情報であれば、他の情報でもよい。
また、画像の受信者を特定する情報に限らず、画像出力時の年月日時刻や位置情報（ＧＰＳや位置情報サービス等を利用して現在位置を取得する）を埋め込むようにしてもよい。
【００１２】
外部メモリ制御部１７は、電子透かし埋込部１６が電子透かし情報の埋め込みを完了すると、電子透かし情報が埋め込まれた画像を外部メモリ２に格納する（ステップＳＴ４）。
これにより、携帯電話機１の外部メモリ用スロット３から外部メモリ２を取り出して、例えば、第三者の携帯電話機１に装着すれば、第三者の携帯電話機１の外部メモリ制御部１７が外部メモリ２から画像を読み出して内部メモリ１４に格納するので、その画像の表示が可能になる。
【００１３】
この際、第三者が当該画像の不正なコピーを希望する場合、外部メモリ用スロット３に装着されている外部メモリ２を別の外部メモリ２に取り替えたのち、入力部１１を操作して画像の外部出力要求を入力する。
電子透かし埋込部１６は、入力部１１が画像の外部出力要求を入力すると、制御部１３の指示の下、内部メモリ１４に格納されている画像に対して電子透かし情報（例えば、第三者の携帯電話機１の電話番号）を埋め込む処理を実施する。
外部メモリ制御部１７は、電子透かし埋込部１６が電子透かし情報の埋め込みを完了すると、電子透かし情報が埋め込まれた画像を外部メモリ２に格納する。
これにより、第三者による画像の不正コピーが完了する。
【００１４】
以上で明らかなように、この実施の形態１によれば、通信部１２によりダウンロードされた画像、または、外部メモリ制御部１７により外部メモリ２から読み出された画像に対して電子透かし情報を埋め込む電子透かし埋込部１６を設け、その電子透かし埋込部１６により電子透かし情報が埋め込まれた画像を外部に出力するように構成したので、画像の不正コピーが繰り返された場合でも、不正コピーを実施した第三者を特定することができる効果を奏する。
【００１５】
なお、この実施の形態１では、電子透かし埋込部１６が内部メモリ１４に格納されている画像に対して電子透かし情報を埋め込むものについて示したが、その内部メモリ１４と別個にバッファメモリを用意し、内部メモリ１４に格納されている画像をバッファメモリにコピーしてから、そのバッファメモリ上の画像に対して電子透かし情報を埋め込むようにしてもよい。
これにより、内部メモリ１４には、電子透かし情報が埋め込まれていない画像を保持することができるため、画像を外部出力せずに当該携帯電話機１内で表示するなど、著作権の侵害に該当しない場合には、電子透かし情報が埋め込まれていない画像を表示することができるようになる。
【００１６】
また、この実施の形態１では、画像を外部出力する際に電子透かし埋込部１６が画像に電子透かし情報を埋め込むものについて示したが、内部メモリ１４に画像が格納されると直ちに電子透かし情報を埋め込むようにしてもよい。
また、この実施の形態１では、画像を外部出力する例として、画像を外部メモリ２に格納するものについて示したが、これに限るものではなく、例えば、画像をメール等に添付して、通信部１２が画像を送信する場合であってもよい。
さらに、この実施の形態１では、コンテンツ管理装置が携帯電話機１に搭載されているものについて示したが、これに限るものではなく、例えば、ＰＤＡやパーソナルコンピュータなどの情報端末装置に搭載されていてもよい。
【００１７】
実施の形態２．
上記実施の形態１では、電子透かし埋込部１６が内部メモリ１４に格納されている画像に対して電子透かし情報を埋め込むものについて示したが、この際、電子透かし埋込部１６が内部メモリ１４に格納されている画像から所定の周波数成分を抽出し、その周波数成分に対して電子透かし情報を埋め込むようにしてもよい。
【００１８】
即ち、電子透かし埋込部１６が内部メモリ１４に格納されている画像に対して、例えば、離散フーリエ変換ＤＦＴ、高速フーリエ変換ＦＦＴ、離散コサイン変換ＤＣＴ、ウェーブレット変換などの周波数変換処理を施すことにより、その画像の低域周波数成分画像を抽出する（図４を参照）。あるいは、その画像をローパスフィルタに通すことにより、その画像の低域周波数成分画像を抽出する。
そして、電子透かし埋込部１６は、その画像の低域周波数成分画像に対して電子透かし情報を埋め込み、電子透かし情報埋込後の低域周波数成分画像に対して周波数の逆変換処理を実施して、元のオリジナルな画像に戻すようにする。
これにより、第三者が画像の不正コピーを実施する際に、電子透かし情報を除去するなどの不正行為を試みても、容易に電子透かし情報を除去することができないようにすることができる効果を奏する。
【００１９】
なお、この実施の形態２では、画像の低域周波数成分画像に対して電子透かし情報を埋め込むものについて示したが、画像の低域周波数成分画像に限らず、他の周波数成分画像であってもよい（図５を参照）。
また、内部メモリ１４に格納されている画像を複数の矩形領域に分割し、個々の矩形領域毎に、異なる周波数成分画像を抽出して電子透かし情報を埋め込むようにしてもよい。
【００２０】
実施の形態３．
上記実施の形態１では、電子透かし埋込部１６が内部メモリ１４に格納されている画像に対して電子透かし情報を埋め込むものについて示したが、この際、電子透かし埋込部１６が内部メモリ１４に格納されている画像内のエッジ成分を特定し、そのエッジ成分に対して電子透かし情報を埋め込むようにしてもよい。
【００２１】
即ち、電子透かし埋込部１６が内部メモリ１４に格納されている画像に対して周波数変換処理を施し、高域成分を強調した上でハイパスフィルタＨＰＦに通すことにより、画像内のエッジ成分を特定する。あるいは、エッジ成分抽出マトリクスを準備し、その画像に対してエッジ成分抽出マトリクスを利用した演算を実施することにより、画像内のエッジ成分を特定する（図６を参照）。
そして、電子透かし埋込部１６は、その画像内のエッジ成分に対して電子透かし情報を埋め込むようにする。即ち、画像内のエッジ上、あるいは、エッジの近傍領域に電子透かし情報を埋め込むようにする。
これにより、画像の重要な部分に電子透かし情報が埋め込まれるため、第三者が画像の重要な部分のみを切り出して不正コピーを実施しても、電子透かし情報の抜けを防止することができる効果を奏する。
【００２２】
実施の形態４．
上記実施の形態１では、電子透かし埋込部１６が内部メモリ１４に格納されている画像に対して電子透かし情報を埋め込むものについて示したが、この際、電子透かし埋込部１６が内部メモリ１４に格納されている画像内のオブジェクト（例えば、画像中の被写体の顔など）を特定し、そのオブジェクトに対して電子透かし情報を埋め込むようにしてもよい。
【００２３】
即ち、電子透かし埋込部１６が内部メモリ１４に格納されている画像に対して所定のマトリクス演算等を実施することにより、その画像内のオブジェクトを特定する（図７を参照）。
そして、電子透かし埋込部１６は、そのオブジェクトに対して電子透かし情報を埋め込むようにする。即ち、画像中の被写体の顔などに電子透かし情報を埋め込むようにする。
これにより、画像の重要な部分に電子透かし情報が埋め込まれるため、第三者が画像の重要な部分のみを切り出して不正コピーを実施しても、電子透かし情報の抜けを防止することができる効果を奏する。
【００２４】
実施の形態５．
図８はこの発明の実施の形態５によるコンテンツ管理装置を示す構成図であり、図において、図２と同一符号は同一又は相当部分を示すので説明を省略する。
登録部２１は予めユーザＩＤ（例えば、携帯電話機１の電話番号や製造番号、電話会社により設定された加入者ＩＤなど）を登録する。電子透かし照合部２２は内部メモリ１４により格納された画像に埋め込まれている電子透かし情報を抽出して、その電子透かし情報と登録部２１に登録されているユーザＩＤを照合する。
なお、登録部２１は登録手段を構成し、電子透かし照合部２２は抽出手段及び照合手段を構成している。
【００２５】
制御部２３は図２の制御部１３と同様の機能を有する他に、電子透かし照合部２２により情報の一致が認められる場合に限り、内部メモリ１４により格納された画像の表示を行う。なお、制御部２３は制御手段を構成している。
図９はこの発明の実施の形態５によるコンテンツ管理装置の処理内容を示すフローチャートである。
【００２６】
次に動作について説明する。
まず、ユーザが画像のダウンロードを希望する場合、入力部１１を操作して画像のダウンロード要求を入力する。
通信部１２は、入力部１１が画像のダウンロード要求を入力すると、制御部２３の指示の下、図示せぬコンテンツ配信装置と通信を確立し、そのコンテンツ配信装置から画像をダウンロードする（ステップＳＴ１１）。
【００２７】
ただし、コンテンツ配信装置は、画像を携帯電話機１のコンテンツ管理装置に配信する際、予め登録されているユーザＩＤを電子透かし情報として画像に埋め込み、その画像を配信する。
即ち、コンテンツ配信装置は、画像のダウンロードを要求しているコンテンツ管理装置から例えば利用者名を受信する。そして、予め登録している数多くのユーザＩＤの中から、その利用者名をキーにしてユーザＩＤを選定し、そのユーザＩＤを電子透かし情報として画像に埋め込み、その画像を配信する。
【００２８】
制御部２３は、通信部１２が画像をダウンロードすると、その画像を内部メモリ１４に格納する。
ユーザがダウンロードした画像の表示を希望する場合、入力部１１を操作して画像の表示要求を入力する（ステップＳＴ１２）。
電子透かし照合部２２は、入力部１１が画像の表示要求を入力すると、制御部２３の指示の下、内部メモリ１４に格納されている画像を読み出して、その画像に埋め込まれている電子透かし情報（ユーザＩＤ）を抽出し（ステップＳＴ１３）、そのユーザＩＤと登録部２１に登録されているユーザＩＤを照合する（ステップＳＴ１４）。
【００２９】
制御部２３は、電子透かし照合部２２の照合結果がユーザＩＤの一致を示す場合、内部メモリ１４に格納されている画像を読み出して表示部１５に出力する。
これにより、表示部１５にはダウンロードした画像が表示される（ステップＳＴ１６）。
一方、電子透かし照合部２２の照合結果がユーザＩＤの不一致を示す場合、内部メモリ１４に格納されている画像の表示を拒否する（ステップＳＴ１７）。
この際、表示部１５には画像を表示することができない旨のメッセージを表示する。
【００３０】
以上で明らかなように、この実施の形態５によれば、画像に埋め込まれている電子透かし情報（ユーザＩＤ）と登録部２１に登録されているユーザＩＤを照合し、双方のユーザＩＤが一致する場合に限り、その画像を表示するように構成したので、画像の配信者と契約関係のないユーザが画像をダウンロードしても、画像の表示を拒否することができる結果、画像の著作権を確実に保護することができる効果を奏する。
【００３１】
この実施の形態５では、電子透かし照合部２２の照合結果がユーザＩＤの一致を示す場合に限り、内部メモリ１４に格納されている画像を表示するものについて示したが、図１０に示すように、電子透かし照合部２２の照合結果がユーザＩＤの一致を示す場合に限り、外部メモリ制御部１７が画像を外部メモリ２に格納し（ステップＳＴ２２）、ユーザＩＤの不一致を示す場合には、画像の外部出力を拒否するようにしてもよい（ステップＳＴ２３）。
【００３２】
また、この実施の形態５では、コンテンツ配信装置が画像をコンテンツ管理装置に配信する際、予め登録されているユーザＩＤを電子透かし情報として画像に埋め込むものについて示したが、さらに、コンテンツの表示又は外部出力の可否を指示する制御情報を電子透かし情報として画像に埋め込むようにしてもよい。
この場合、電子透かし照合部２２が画像からユーザＩＤと一緒に制御情報を抽出し、その制御情報が画像の表示又は外部出力を許可している場合に限り、制御部１７が画像の表示又は外部出力を行うようにする。
これにより、より強力に画像の著作権を保護することができる効果を奏する。
【００３３】
実施の形態６．
図１１はこの発明の実施の形態６によるコンテンツ配信装置を示す構成図であり、図において、蓄積装置３１は配信可能な数多くの画像を格納している。入力部３２は配信対象の画像の選択や画像に対する可視透かしの埋め込み等の受付処理を実施し、表示部３３は配信対象の画像を表示する。
制御部３４は蓄積装置３１から配信対象の画像を内部メモリ３５にコピーし、その画像に対する可視透かしの埋め込みを電子透かし埋込部３６に指示する。電子透かし埋込部３６は制御部３４の指示の下、内部メモリ３５に格納されている画像に対して可視透かしを埋め込むとともに、その可視透かしの状態を変更する際に用いる電子透かし情報を埋め込む処理を実施する。なお、電子透かし埋込部３６は付加手段及び情報埋込手段を構成している。
通信部３７は制御部３４の指示の下、電子透かし埋込部３６により電子透かし情報が埋め込まれた画像を携帯電話機１のコンテンツ管理装置に配信する機能を備えている。なお、通信部３７はコンテンツ配信手段を構成している。
図１２はこの発明の実施の形態６によるコンテンツ配信装置の処理内容を示すフローチャートである。
【００３４】
図１３はこの発明の実施の形態６によるコンテンツ管理装置を示す構成図であり、図において、図２と同一符号は同一または相当部分を示すので説明を省略する。
蓄積装置４１は通信部１２によりダウンロードされた画像を蓄積する。電子透かし処理部４２は制御部４３が蓄積装置４１に蓄積されている画像を内部メモリ１４にコピーすると、その画像に埋め込まれている電子透かし情報を抽出する。なお、電子透かし処理部４２は抽出手段を構成している。
制御部４３は電子透かし処理部４２により抽出された電子透かし情報を用いて、内部メモリ１４により格納された画像に付加されている可視透かしの状態を変更し、そのコンテンツの表示又は外部出力を行う。なお、制御部４３は制御手段を構成している。
図１４はこの発明の実施の形態６によるコンテンツ管理装置の処理内容を示すフローチャートである。
【００３５】
次に動作について説明する。
まず、配信者がコンテンツ配信装置の入力部１１を操作して配信対象の画像を決定すると（ステップＳＴ３１）、制御部３４が蓄積装置３１から配信対象の画像を内部メモリ３５にコピーし、その画像に対する可視透かしの埋め込みを電子透かし埋込部３６に指示する。
【００３６】
電子透かし埋込部３６は、制御部３４から可視透かしの埋め込み指示を受けると、内部メモリ３５に格納されている画像に対して可視透かしの埋め込み処理を実施する（ステップＳＴ３２）。
ここで、可視透かしは、例えば、画像中の被写体の顔の上に文字や記号等を重畳することにより、被写体の顔を見えないようにするものである。
【００３７】
また、電子透かし埋込部３６は、画像に対して可視透かしを埋め込む際、その可視透かしの状態を変更する際に用いる電子透かし情報（状態変更情報）の埋め込み処理を実施する（ステップＳＴ３３）。
ここでの状態変更情報は、コンテンツ管理装置の電子透かし処理部４２が画像から可視透かしを除去、あるいは、可視透かしを知覚困難な状態に変更する際に用いる情報である。
なお、電子透かし埋込部３６は、状態変更情報を埋め込む際、例えば、ユーザＩＤを用いて、その状態変更情報を暗号化してから埋め込むようにしてもよい。
【００３８】
通信部３７は、電子透かし埋込部３６による可視透かしと状態変更情報の埋め込み処理が完了すると、制御部３４の指示の下、埋め込み処理後の画像を携帯電話機１のコンテンツ管理装置に配信する（ステップＳＴ３４）。
コンテンツ管理装置の通信部１２は、コンテンツ配信装置が埋め込み処理後の画像を配信すると、その画像を受信する（ステップＳＴ４１）。
制御部４３は、通信部１２が埋め込み処理後の画像を受信すると、その画像を蓄積装置４１に格納する。
【００３９】
ユーザが通信部１２により受信された画像の表示を希望する場合、入力部１１を操作して画像の表示要求を入力する（ステップＳＴ４２）。
制御部４３は、入力部１１が画像の表示要求を入力すると、蓄積装置４１に蓄積されている画像を内部メモリ１４にコピーする。
電子透かし処理部４２は、制御部４３が蓄積装置４１に蓄積されている画像を内部メモリ１４にコピーすると、その画像に埋め込まれている電子透かし情報である状態変更情報を抽出する（ステップＳＴ４３）。
【００４０】
電子透かし処理部４２は、画像から状態変更情報を抽出すると、その状態変更情報が暗号化されているか否かを判定し（ステップＳＴ４４）、暗号化されている場合には、例えば、ユーザＩＤを用いて、その状態変更情報の暗号化を解除する（ステップＳＴ４５）。
なお、状態変更情報が暗号化されているか否かの判断方法であるが、画像の配信側が暗号化されているか否かを示す情報を電子透かし情報として埋め込んでいる場合には、その情報を抽出して判断する。あるいは、配信側が必ず暗号化するという取り決めを設けてもよい。
【００４１】
制御部４３は、電子透かし処理部４２により抽出された状態変更情報を用いて、内部メモリ１４により格納された画像に付加されている可視透かしの状態を変更する（ステップＳＴ４６）。即ち、その状態変更情報を用いて、画像から可視透かしを除去、あるいは、可視透かしを知覚困難な状態に変更する。
制御部４３は、可視透かしの状態を変更すると、その画像を表示部１５に出力する。
これにより、表示部１５には可視透かしのない画像が表示される（ステップＳＴ４７）。
【００４２】
以上で明らかなように、この実施の形態６によれば、配信対象の画像に対して可視透かしを埋め込むとともに、その可視透かしの状態を変更する際に用いる状態変更情報を埋め込み、埋め込み処理後の画像を携帯電話機１のコンテンツ管理装置に配信するように構成したので、受信側の要求に応じて画像と別個に、状態変更情報を送信する手間を省くことができる効果を奏する。
【００４３】
また、この実施の形態６によれば、通信部１２により受信された画像に埋め込まれている状態変更情報を抽出し、その状態変更情報を用いて、その画像に付加されている可視透かしの状態を変更するように構成したので、画像と別個に、配信側から状態変更情報を受信する手間を省くことができる効果を奏する。
【００４４】
この実施の形態６では、制御部４３が画像から可視透かしを除去すると、その画像を表示するものについて示したが、制御部４３が画像から可視透かしを除去すると、外部メモリ制御部１７がその画像を外部メモリ２に格納するようにしてもよい。ただし、制御部４３が画像から可視透かしを除去しても、画像を外部メモリ２に格納するなど、画像を外部出力する場合には、可視透かしが付加されている状態の画像を出力対象にするようにしてもよい。
【００４５】
また、この実施の形態６では、コンテンツ配信装置が画像をコンテンツ管理装置に配信する際、状態変更情報を電子透かし情報として画像に埋め込むものについて示したが、さらに、コンテンツの表示又は外部出力の可否を指示する制御情報を電子透かし情報として画像に埋め込むようにしてもよい。
この場合、電子透かし処理部４２が画像から状態変更情報と一緒に制御情報を抽出し、その制御情報が画像の表示又は外部出力を許可している場合に限り、制御部４３が画像の表示又は外部出力を行うようにする。
これにより、より強力に画像の著作権を保護することができる効果を奏する。
【００４６】
【発明の効果】
以上のように、この発明によれば、コンテンツ収集手段により収集されたコンテンツに対して電子透かし情報を埋め込む情報埋込手段を設け、その情報埋込手段により電子透かし情報が埋め込まれたコンテンツを外部に出力するように構成したので、画像の不正コピーが繰り返された場合でも、不正コピーを実施した第三者を特定することができる効果がある。
【図面の簡単な説明】
【図１】この発明の実施の形態１によるコンテンツ管理装置が搭載されている携帯電話機を示す外形図である。
【図２】この発明の実施の形態１によるコンテンツ管理装置を示す構成図である。
【図３】この発明の実施の形態１によるコンテンツ管理装置の処理内容を示すフローチャートである。
【図４】低域周波数成分画像の抽出例を示す説明図である。
【図５】周波数変換画像の抽出例を示す説明図である。
【図６】エッジ成分画像の抽出例を示す説明図である。
【図７】オブジェクト画像の抽出例を示す説明図である。
【図８】この発明の実施の形態５によるコンテンツ管理装置を示す構成図である。
【図９】この発明の実施の形態５によるコンテンツ管理装置の処理内容を示すフローチャートである。
【図１０】この発明の実施の形態５によるコンテンツ管理装置の処理内容を示すフローチャートである。
【図１１】この発明の実施の形態６によるコンテンツ配信装置を示す構成図である。
【図１２】この発明の実施の形態６によるコンテンツ配信装置の処理内容を示すフローチャートである。
【図１３】この発明の実施の形態６によるコンテンツ管理装置を示す構成図である。
【図１４】この発明の実施の形態６によるコンテンツ管理装置の処理内容を示すフローチャートである。
【符号の説明】
１  携帯電話機、２  外部メモリ、３  外部メモリ用スロット、１１  入力部、１２  通信部（コンテンツ収集手段）、１３  制御部、１４  内部メモリ、１５  表示部、１６  電子透かし埋込部（情報埋込手段）、１７  外部メモリ制御部（コンテンツ出力手段、コンテンツ収集手段）、２１  登録部（登録手段）、２２  電子透かし照合部（抽出手段、照合手段）、２３  制御部（制御手段）、３１  蓄積装置、３２  入力部、３３  表示部、３４  制御部、３５  内部メモリ、３６  電子透かし埋込部（付加手段、情報埋込手段）、３７  通信部（コンテンツ配信手段）、４１  蓄積装置、４２  電子透かし処理部（抽出手段）、４３  制御部（制御手段）。
【図１】
2004194233.tif 000003
【図２】
2004194233.tif 000004
【図３】
2004194233.tif 000005
【図４】
2004194233.tif 000006
【図５】
2004194233.tif 000007
【図６】
2004194233.tif 000008
【図７】
2004194233.tif 000009
【図８】
2004194233.tif 000010
【図９】
2004194233.tif 000011
【図１０】
2004194233.tif 000012
【図１１】
2004194233.tif 000013
【図１２】
2004194233.tif 000014
【図１３】
2004194233.tif 000015
【図１４】
2004194233.tif 000016